(57)【要約】パネル（１２）とトリム部品とを有する物品（１０）。パネルは、少なくとも第１のパネル端（１４）と、外面（１８）と、外面から延在する複数の一体成形フラップ（２０）とを有する。トリム部品は第１のパネル端に近接してパネルに固着されることができ、トリム部品とパネルの外面との間に、複数の一体成形フラップのうち、少なくとも１つの一体成形フラップの端部を固定することができる。複数のパネルは異なる方向で、衣類を形成するか、または衣類に固定されてもよい。複数のパネルの各々は、１つ以上のトリム部品によって分離されてもよい。
2019502836.tif 000002
【特許請求の範囲】
【請求項１】
少なくとも第１のパネル端および外面を有するパネルであって、前記パネルの前記外面から延在する複数の一体成形フラップを含むパネルと、第１のパネル端に近接して前記パネルに固着したトリム部品であって、前記トリム部品と前記パネルの前記外面との間に、前記複数の一体成形フラップのうち、少なくとも１つの一体成形フラップの端部を固定するトリム部品とを含む、物品。
【請求項２】
前記複数の一体成形フラップは、前記パネルの前記外面に沿った第１のフラップ端から第２のフラップ端まで延在する、請求項１に記載の物品。
【請求項３】
前記複数の一体成形フラップの第１の一体成形フラップの前記第２のフラップ端は、前記第１の一体成形フラップに隣接する第２の一体成形フラップの前記第１のフラップ端と重なる、請求項２に記載の物品。
【請求項４】
前記複数の一体成形フラップの各々の前記第１のフラップ端は、他の一体成形フラップの前記第１のフラップ端とオフセットされる、請求項２に記載の物品。
【請求項５】
前記複数の一体成形フラップの各々の前記第１のフラップ端は、前記他の一体成形フラップと平行に、前記パネルの前記外面を横切って延在する、請求項４に記載の物品。
【請求項６】
前記複数の一体成形フラップの各々の前記第１のフラップ端は、前記他の一体成形フラップの前記第１のフラップ端と同心に整列している、請求項４に記載の物品。
【請求項７】
抵抗を生成する１つ以上のエアポケットが、前記複数の一体成形フラップのうち、隣接するフラップの１つ以上の対の間で前記物品上に形成される、請求項１に記載の物品。
【請求項８】
前記物品が、衣類が着用位置にある状態で動く着用者の身体の一部に隣接する前記衣類上の位置で前記衣類に固着される、請求項１に記載の物品。
【請求項９】
前記物品が、少なくとも第２のパネルに固着され、スリーブ、胴体上部用衣料物品、または胴体下部用衣料物品の１つ以上を形成する、請求項１に記載の物品。
【請求項１０】
第２のパネル端に近接して前記パネルに固着され、第２のトリム部品と前記パネルの前記外面との間に、前記複数の一体成形フラップのうち、少なくとも１つの一体成形フラップの第２の端部を固定する前記第２のトリム部品をさらに含む、請求項１に記載の物品。
【請求項１１】
前記第１のパネル端が前記第２のパネル端の反対側にある、請求項１０に記載の物品。
【請求項１２】
前記パネルは、前記第１のパネル端と前記第２のパネル端との間に少なくとも１つのパネル端を含み、少なくとも１つのトリム部品が、前記少なくとも１つのパネル端に沿って前記パネルに固着される、請求項１１に記載の物品。
【請求項１３】
前記パネルが織物または編織物の少なくとも１つを含む、請求項１に記載の物品。
【請求項１４】
少なくとも第１のパネル端と、外面と、パネルの前記外面から延在する複数の一体成形フラップであって、前記第１のパネル端に近接して配置された第１の端部をさらに含む複数の一体成形フラップと、を含む前記パネルを設けるステップと、第１のトリム部品を設けるステップと、前記パネルの前記外面と、前記第１のパネル端に近接する前記第１のトリム部品との間に、前記複数の一体成形フラップのうち、少なくとも１つの一体成形フラップの前記第１の端部を固定するステップと、を含む、物品を製造する方法。
【請求項１５】
第２のトリム部品を設けるステップと、第２のパネル端に沿って前記パネルの前記外面と前記第２のトリム部品との間に、前記複数の一体成形フラップのうち、少なくとも１つの一体成形フラップの第２の端部を固定するステップと、をさらに含む、請求項１４に記載の方法。
【請求項１６】
パネルであって、
外面および少なくとも第１のパネル端と、
前記パネルに一体的に形成され、前記パネルの前記外面上に位置する複数の重なり合うフラップであって、前記複数の重なり合うフラップの各々は一体化された端部を含み、前記端部に沿って前記複数の重なり合うフラップが前記パネルの前記外面から離れて延在し、また、前記一体化された端部の各々は相互にオフセットされる、フラップと、
前記第１のパネル端に沿って前記パネルに固着され、トリム部品と前記外面との間に、前記複数の重なり合うフラップのうち、少なくとも１つのフラップの端部を固定するトリム部品であって、前記複数の重なり合うフラップの各々は前記パネルを横切って同じ方向に重なりが生じるように固定されたトリム部品と、
を有するパネルを含む、衣類。
【請求項１７】
１つ以上の追加のパネルが前記パネルに固定され、前記衣類を形成する、請求項１６に記載の衣類。
【請求項１８】
前記衣類はスリーブ、胴体上部用衣料物品、または胴体下部用衣料物品の１つを含む、請求項１７に記載の衣類。
【請求項１９】
前記パネルおよび前記トリム部品が共に第１の抵抗誘導物品を含み、さらに前記１つ以上の追加のパネルの少なくとも１つが第２の抵抗誘導物品を含む、請求項１７に記載の衣類。
【請求項２０】
前記第１の抵抗誘導物品は、前記衣類に関連して方向づけられて第１の方向の動きに基づいて抵抗を誘導し、さらに前記第２の抵抗誘導物品は、前記衣類に関連して方向づけられて第２の方向の動きに基づいて抵抗を誘導する、請求項１９に記載の衣類。
【発明の詳細な説明】
【技術分野】
【０００１】
本概要においては、各構成概念の抜粋を簡略化した形で紹介するが、これらの構成概念は以下の詳細な説明においてさらに説明する。本概要は、請求項に記載した主題の主要な特徴または本質的な特徴を特定することを意図するものではなく、請求項に記載した主題の範囲を定める際の一助として使用することを意図するものでもない。本発明は、特許請求の範囲により特定する。
【０００２】
上位概念において、本明細書に記載した各態様は、パネルの外面から延在する複数の一体成形フラップを有する少なくとも１つのパネルと、第１のパネル端に近接して、パネルの外面に複数の一体成形フラップのうち、少なくとも１つの一体成形フラップの端部を固定して１つ以上のエアポケットを形成する、少なくとも１つのトリム部品とを有する物品に関する。例示的な態様では、１つ以上のエアポケットを、隣接するフラップの１つ以上の対の間に抵抗を生成するために、隣接するフラップの１つ以上の対の間に空気を捕捉するように構成する。空気等の流体中を動いた場合、１つ以上のエアポケットは、着用者の動きに対する空気抵抗を増大させる。言い換えれば、１つ以上のエアポケットは、物品が着用位置にある場合に、物品上、ひいては着用者上に抵抗を誘導する。したがって、トレーニングアクセサリとして使用される場合、本明細書に記載した衣料物品により、着用者がトレーニング中により大きな労力を必要とすることになり、競技の際のパフォーマンスが向上する利点がある。さらに、１つ以上の抵抗ポケットは、着用者のケイデンスまたはフォームを妨げないような方法で衣料物品に一体化される。
【０００３】
本明細書に記載したさらなる態様は、衣類の着用者に抵抗を誘導する衣類に関する。本明細書に記載した各態様では、衣類は、着用者の胴体上部用の胴体上部用衣料物品、着用者の胴体下部用の胴体下部用衣料物品、および／または着用者の肢体用のスリーブを含むことができる。例えば、衣類を胴体上部用衣料物品として構成する場合、胴体上部用衣料物品はベストまたはシャツの形態をとることができる。衣類は、上記の物品のような抵抗誘導物品を１つ以上含むことができる。衣類は、１つ以上の抵抗誘導物品に固着して衣類を形成する追加のパネルをさらに含むことができる。抵抗誘導物品のパネルに一体的に形成された重なり合うフラップは、予想される動きの方向に基づく特定の活動用の、空気抵抗の最大増加をもたらすために衣類の外面上で方向づけられてもよい。例えば、着用者がスプリントをしようとし、かがみこむ姿勢からから起立した姿勢へと起き上がり急速な地上移動を始める場合、パネルから延在するフラップは、着用者が起き上がる時に外気がエアポケットに捕捉されるように、着用者の胴体の一部の周りに長手方向に延在してもよい。空気中を移動する場合、エアポケットは衣類上の抵抗を増加させ、それによって着用者が動く場合に（すなわち、かがみこむ姿勢から起き上がる場合、地上移動において走る場合、または何か流体中での動きに取り組む場合に）着用者により大きな労力を必要とさせる。
【０００４】
本明細書に記載した別の態様は、物品が流体中を動かされる場合に流体抵抗をもたらす物品を製造する方法に関する。当該方法は、少なくとも第１のパネル端と、外面と、パネルの外面から延在する複数の一体成形フラップとを有するパネルを設けるステップを含むことができる。いくつかの態様において、複数の一体成形フラップは、第１のパネル端に近接して配置された第１の端部をさらに含む。当該方法は第１のトリム部品を設けるステップと、パネルの外面と、第１のパネル端に近接する第１のトリム部品との間に、複数の一体成形フラップのうち、少なくとも１つの一体成形フラップの第１の端部を固定するステップとをさらに含むことができる。
【０００５】
いくつかの態様では、当該方法は、第２のトリム部品を設けるステップと、パネルの外面と、第２のパネル端に近接する第２のトリム部品との間に、一体成形フラップのうち、少なくとも１つの一体成形フラップの第２の端部を固定するステップとをさらに含むことができる。
【０００６】
本明細書に記載する衣料物品（例えば、シャツ、ベスト、ジャケット、スリーブ、ズボン、および半ズボン）は、単独でまたは組み合わせて着用され、様々なレベルの空気抵抗をもたらすことができる。例えば、本明細書に記載のベストまたはズボンは、本明細書に記載のスリーブと共に着用され、スリーブ無しで着用されるベストまたはズボン、またはベストまたはズボン無しで着用されるスリーブと比較して、増大した空気抵抗のレベルをもたらすことができる。
【０００７】
本発明の実施例を、添付の図面を参照して以下に詳細に説明する。
【図面の簡単な説明】
【０００８】
【図１】本明細書に記載した各態様によるエアポケット構造を有する例示的な物品の上面図である。
【図２】図１の切断線２−２に沿った断面図であって、図１のエアポケット構造を有する例示的な物品を示す図であり、ここで、当該物品は本明細書に記載した各態様による閉位置を示す。
【図３】図１の切断線２−２に沿った断面図であって、図１のエアポケット構造を有する例示的な物品を示す図であり、ここで、当該物品は本明細書に記載した各態様による開位置を示す。
【図４】本明細書に記載した各態様によるエアポケット構造の拡大図である。
【図５】本明細書に記載した各態様による、上半身用衣料物品を含む例示的な衣類を着用位置で示す正面立面図である。
【図６】本明細書に記載した各態様による、上半身用衣料物品を含む例示的な衣類を着用位置で示す側面立面図である。
【図７】本明細書に記載した各態様による、スリーブを含む例示的な衣類を着用位置で示す正面立面図である。
【図８】本明細書に記載した各態様による、スリーブを含む例示的な衣類を着用位置で示す側面立面図である。
【図９】本明細書に記載した各態様による、下半身用衣料物品を含む例示的な衣類を着用位置で示す正面立面図である。
【図１０】本明細書に記載した各態様による、下半身用衣料物品を含む例示的な衣類を着用位置で示す側面立面図である。
【図１１】本明細書に記載した各態様による、物品が流体中を動かされる場合に流体抵抗をもたらす物品を製造する例示的方法を示すフロー図である。
【０００９】
（発明の詳細な説明）
本発明の主題は、法的要件を満たすように、本明細書において具体的に記載される。しかしながら、説明そのものは本特許の範囲を限定することを意図しない。むしろ発明者は、特許請求された主題が、異なるステップまたは本明細書に記載されたものと類似するステップの組み合わせを含むよう、他の現存のまたは将来の技術と関連して、他の方法によっても実施されることを想定している。また、用語「ステップ」および／または「ブロック」は、採用された方法の異なる要素を包含するようにここでは使用されているが、個々のステップの順序が明確に記述されていない限り、また個々のステップの順序が明確に記述されている場合を除いて、用語は、ここで記述した様々なステップ間の特定の順序を意味するものとして解釈すべきではない。
【００１０】
本説明を通じて、開示した衣料物品の向きを論じる際には用語「着用位置」を使用する。衣料物品の着用位置とは、着用者に着用された場合の衣料物品の位置を意味する。したがって、着用位置においては、シャツ等の上半身用衣類は首の開口がシャツの上部であって着用者の胴体の上端付近となるような向きになっている。同様に、着用位置においては、ズボン等の下半身用衣類はウエストの開口がズボンの上部であって着用者のウエストの付近となるような向きになっている。
【００１１】
さらに、用語「固着する」または「連結する」は、例えばボタン、スナップ、ジッパー、フック・アンド・ループファスナー等を介して２つの物品を取り外し可能に固着することを含むことができ、また、例えば縫製、結合、接着剤、溶接等を介して２つの衣料物品を永久的に固着することも含むことができる。任意の態様およびすべての態様、およびその任意の変形は、本明細書の記載の範囲内であると考えられる。
【００１２】
本明細書に記載した各態様は、物品が流体中を動かされる場合に増大した抵抗を誘導するように構成した物品に関する。本説明を通じて、例示目的で使用する流体は空気である。しかしながら、本説明は水または任意の他の液体または気体等の任意の流体にも等しく適用される。
【００１３】
上位概念において、本明細書に記載した各態様は、パネルの外面から延在する一体成形フラップを有するパネルと、一体成形フラップの少なくとも１つの端部を第１のパネル端に近接して外面に固定し、１つ以上の抵抗ポケットを隣接するフラップの１つ以上の対の間に形成する少なくとも１つのトリム部品とを有する物品に関する。最初に図１−図４を参照すると、いくつかの態様は、第１のパネル端１４と第２のパネル端１６とを有するパネル１２から成る物品１０に関する。第１のパネル端１４は第２のパネル端１６の反対側にあってもよい。パネル１２は外面１８も有し、当該外面１８から一体成形フラップ２０が延在してもよい。パネル１２は、編織物、織物または任意の他の適切な材料から成ることができる。
【００１４】
一体成形フラップ２０の各々は、パネル１２の外面１８の少なくとも一部を横切って延在し、外面１８から第２のフラップ端２４まで延出する第１のフラップ端２２を含むことができる。よって、これらの各態様では、第１のフラップ端２２は、パネル１２の外面１８と直接接触する。いくつかの態様では、第１のフラップ端２２は、第１のパネル端１４から第２のパネル端１６まで外面１８を横切って延在することができる。他の態様では、第１のフラップ端２２は外面１８の一部のみを横切って延在する。
【００１５】
一体成形フラップ２０の各々の第１のフラップ端２２は、他の第１のフラップ端２２とオフセットされてもよく、例えば所定の長さでオフセットされてもよい。いくつかの態様では、一体成形フラップ２０の少なくともいくつかの第１のフラップ端２２は、他の一体成形フラップの第１のフラップ端２２と平行に、パネル１２の外面１８を横切って延在することができる。これらの各態様において、一体成形フラップのいくつかまたは全ては、他の第１のフラップ端と平行な第１のフラップ端を有することができるが、いくつかの第１のフラップ端は他の第１のフラップ端と平行でなくてもよい。他の態様では、一体成形フラップ２０のいくつかまたは全ての第１のフラップ端２２は、他の一体成形フラップの第１のフラップ端２２と同心に整列してよく、一方、いくつかは同心に整列しなくともよい。さらに他の態様では、一体成形フラップ２０のいくつかまたは全部の第１のフラップ端２２は、他の一体成形フラップの第１のフラップ端２２と平行にパネル１２の外面１８を横切って延在することができ、第１のフラップ端２２の各々は他の第１のフラップ端２２と、オフセット距離２６でオフセットされてもよい。
【００１６】
第１のフラップ端２２は、一体成形フラップ２０の各々の最も基端の部分を含むことができる。言い換えれば、第１のフラップ端２２は区分を含むことができ、当該区分を横切って一体成形フラップ２０の各々がパネル１２に接合される。
【００１７】
一体成形フラップ２０の各々は、第１の端部２８および第２の端部３０をさらに含むことができる。図示する態様において、第１の端部２８は、第２の端部３０の反対側にある。他の態様では、端部は互いに反対側にない。
【００１８】
物品１０は、第１のパネル端１４に近接して固着した第１のトリム部品３２をさらに含むことができる。第１のトリム部品３２は、一体成形フラップ２０の少なくとも１つの第１の端部２８を、第１のトリム部品３２とパネル１２の外面１８との間に固定することができる。いくつかの態様では、物品１０は第２のパネル端１６に近接して固着した第２のトリム部品３４をさらに含むことができる。第２のトリム部品３４は、第２のトリム部品３４とパネル１２の外面１８との間に第２の端部３０を固定することができる。
【００１９】
いくつかの態様では、パネル１２は第１のパネル端１４と第２のパネル端１６との間に延在する１つ以上のパネル端を含むことができる。１つ以上のパネル端の各々は、第１のパネル端１４から第２のパネル端１６まで延在することができ、第１のパネル端１４と第２のパネル端１６の一方から中間交差点まで延在することができ、または一対の中間交差点の間で延在することができる。パネル１２は、物品１０の用途に適した任意の形状に形成され得ることが理解される。物品１０は、１つ以上のパネル端に近接して固着した１つ以上のトリム部品をさらに含むことができる。１つ以上のトリム部品は、１つ以上のトリム部品とパネル１２の外面１８との間に一体成形フラップ２０の少なくとも１つの部分を固定することができる。他の態様では、第１のトリム部品３２、第２のトリム部品３４、および１つ以上のトリム部品は、物品１０の周囲に固着されるよう構成した一体トリム部品の部分を含むことができる。
【００２０】
一体成形フラップ２０は、１つ以上のトリム部品間に固定された場合に、第１のフラップ端２２がパネル１２の外面１８を横切って延在する方向にほぼ垂直な方向に折り重なることができる。いくつかの態様において、一体成形フラップ２０は第１の方向に折り重なる。第１の方向は物品１０の予想される動きの方向と反対であってもよい。第１の方向はまた、所望の抗力の方向と反対であってもよい。いくつかの態様では、第１の方向は物品１０の予想される動きの方向と反対ではないが、物品１０の予想される動きの方向とは反対のベクトル成分と、物品１０の予想される動きの方向と垂直であるベクトル成分とを含む。
【００２１】
第１のトリム部品３２は、一体成形フラップ２０の少なくとも１つが第１の端部２８においてパネル１２の外面１８と実質的に平行となるように、一体成形フラップ２０の少なくとも１つを、折り重なった位置に固定することができる。各態様において、第２のトリム部品３４は、一体成形フラップ２０の少なくとも１つが第２の端部３０においてパネル１２の外面１８と実質的に平行となるように、一体成形フラップ２０の少なくとも１つを、折り重なった位置に固定することができる。図示した態様において、同じ方向に折り重なった一体成形フラップ２０の各々の第１の端部２８と第２の端部３０のそれぞれを固定する、第１のトリム部品３２と第２のトリム部品３４との両方を示す。しかしながら、第１のトリム部品３２および第２のトリム部品３４は、反対方向に折り重なった一体成形フラップ２０を固定することができると考えられる。
【００２２】
いくつかの態様では、オフセット距離２６は、一体成形フラップ２０が第１のフラップ端２２から第２のフラップ端２４まで延在する距離より短くてもよい。その結果、一体成形フラップ２０の１つの第２のフラップ端２４は一体成形フラップ２０の別の１つのフラップと重なることができる。一体成形フラップ２０の隣接する一対のフラップ３６は、例えば第１のフラップ２０Ａと第２のフラップ２０Ｂとを含むことができ、各態様では、第１のフラップ２０Ａの第２のフラップ端２４は、第２のフラップ２０Ｂの第１のフラップ端２２と重なることができる。
【００２３】
各トリム部品は、布の細片、テープ（例えばジッパーテープ）、隣接パネルの端、または一体成形フラップ２０の端部の少なくとも１つを前記トリム部品とパネル１２の外面１８との間に固定するのに適した他の材料で形成することができる。いくつかの態様では、第１のトリム部品３２がパネル１２の外面１８の上に配置されるように、第１のトリム部品３２は、第１のパネル端１４に近接して、パネル１２に固着されてもよい。他の態様では、外面１８の上に固着される第１のトリム部品３２の一部と、外面１８の下に固着される第１のトリム部品３２の一部とを残して、第１のトリム部品３２が第１のパネル端１４の周りを包むように、第１のトリム部品３２は、第１のパネル端１４に沿ってパネル１２に固着されてもよい。さらに他の態様では、第２のパネル（例えば、図５参照）がシームにおいてパネル１２に隣接して固着されている場合に、第１のトリム部品３２は、パネル１２の第１のパネル端１４および第２のパネルの第１のパネル端に近接して、シームを横切って、また各パネルの外面１８の上に固着されてもよい。さらに他の態様では、第１のトリム部品３２は、パネル１２を第２のパネルに隣接して固着するシームを含む。
【００２４】
いくつかの態様では、一体成形フラップ２０は、第１の端部２８および第２の端部３０の一方または両方において、第１のトリム部品３２および第２のトリム部品３４以外の手段によってパネル１２の外面に固定され得ると考えられる。例えば、いくつかの態様では、第１の端部２８を、第１のパネル端１４に近接して、パネル１２に縫い付けてもよい。他の態様では、第１の端部２８を、第１のパネル端１４に近接して、パネル１２に接着してもよい。さらに他の態様では、第２の端部３０を、第２のパネル端１６に近接して、パネル１２に取り外し可能に、または永久的に固着してもよい。
【００２５】
抵抗を生成する１つ以上のエアポケット３８は、一体成形フラップ２０の折り重なりと、トリム部品の少なくとも１つとパネル１２の外面１８との間における端部の少なくとも１つの固定とによって、物品１０上に形成することができる。１つ以上のエアポケット３８は、隣接するフラップ３６の１つ以上の対の間にそれぞれ形成されてもよい。例えば、図４を参照し、例示的なエアポケット３８を部分的に示す。例示的なエアポケット３８は、第１のフラップ２０Ａと第２のフラップ２０Ｂとの間に形成され、第１の端部２８と外面１８とによって部分的に境界が定められている。
【００２６】
１つ以上のエアポケット３８は、パネル１２の外面１８を横切って、また近接して動く空気を捕捉することができる。同様に、１つ以上のエアポケット３８は、物品１０がその中を通って動く外気を捕捉することもできる。例えば、物品１０が方向Ａ（図３に示す）に動く場合、１つ以上のエアポケット３８（図４に示す）は物品１０がその中を通って動く空気を捕捉することができる。１つ以上のエアポケット３８によって捕捉された空気は、物品１０に抗力を付与する。付与された抗力は、着用者にトレーニング中により努力をさせ、競技の際のパフォーマンスが向上する利点がある。本質的には、着用者は、自然なケイデンスまたはフォームを中断することなく、トレーニング中に１つ以上の物品１０を含む衣類を着用することができる。着用者は物品１０によって付与される付加的な抵抗を克服する必要がないので、そのようなトレーニングは競技の際の着用者のパフォーマンスを改善することができる。
【００２７】
パネル１２は、可撓性材料または剛性材料から成ることができる。同様に、一体成形フラップ２０は、張力のある状態または張力のない状態で、１つ以上のトリム部品によって固定されてもよい。いくつかの態様では、一体成形フラップ２０がパネル１２に対して実質的に平坦にある場合（例えば、パネルが流体の流れに逆らって動かない場合等）、物品１０は実質的な閉位置を有するように見えることがある。実質的な閉位置にある一体成形フラップ２０の一例を、図２に示す。他の態様では、一体成形フラップ２０がパネル１２から傾斜している場合に一体成形フラップが実質的な開位置にある場合等、物品１０は平坦でないように見えることがある。実質的な開位置にある一体成形フラップ２０の一例を、図３に示す。実質的な開位置は、図４に示す、物品１０がその中を通る空気を捕捉する増大した断面積を示すエアポケット３８等の１つ以上のエアポケット３８によって特徴付けることができる。
【００２８】
パネル１２が可撓性材料から成る態様においては、物品１０は、動きが開始するまで閉位置を示すことができる。物品１０の動きが開始すると、捕捉された空気は物品１０に抗力を付与し始めることができ、動きが終了するまで物品１０は開位置を示すことができる。パネル１２が剛性材料から成る態様においては、物品１０は、動きの開始または終了にかかわらず、開位置を示すことができる。
【００２９】
本開示のさらなる態様は、着用者への増大した抗力を生成するよう構成した衣類に関する。衣類は、外面１８と、少なくとも第１のパネル端１４と、一体成形フラップ２０とを有するパネル１２を含むことができる。一体成形フラップ２０は、パネル１２の外面１８上に配置されてもよい。一体成形フラップ２０の各々は、第１のフラップ端２２を含むことができ、当該第１のフラップ端２２に沿って一体成形フラップ２０がパネル１２の外面１８から離れて遠位に延在する。第１のフラップ端２２の各々は、他の第１のフラップ端２２からオフセットされてもよい。一体成形フラップ２０の各々は、一体成形フラップ２０の隣接するフラップと重なることができる。衣類は、第１のパネル端１４に近接してパネル１２に固着された第１のトリム部品３２をさらに含むことができる。第１のトリム部品３２は、一体成形フラップ２０の少なくとも１つの第１の端部２８を、第１のトリム部品３２と外面１８との間に固定することができる。いくつかの態様では、一体成形フラップ２０の各々は、パネル１２全体を横切って同じ方向に重なりが生じるように固定される。例えば、抵抗誘導物品４２（図５−図１０を参照して以下に説明する）の重なり合うフラップ２０の各々は、個々の抵抗誘導物品４２の全てを横切って参照矢印Ｄ（図５−図１０に示す）の方向に重なりが生じるように固定されてもよい。したがって、当該実施例では、抵抗誘導物品４２のオフセット線は参照矢印Ｄに垂直であり、一体成形フラップ２０の各々の第２のフラップ端２４を表すことができる。
【００３０】
図５−図１０に関連してさらに詳細に図示および説明するように、着用者に着用されるように構成した物品は、その上に一体成形フラップとトリム部品とを有する単一のパネルの形態とすることができる。この単一のパネルは、胴体上部用衣料物品または胴体下部用衣料物品等の衣類に付加することができる。例えば、一体成形フラップを有するパネルは、何らかの形で、着用者にトレーニングの目的で着用されるベスト、シャツ、ズボン、半ズボン等に固着されてもよい。いくつかの例では、この単一のパネルは衣類に永久的に固定されなくてもよいが、トレーニング中にのみ着用できるように取り外し可能に固着されてもよい。よって、これらの実施形態では、パネルは特定の物品または衣類の上に固定されてもよい。
【００３１】
いくつかの態様では、本明細書に記載の一体成形フラップを有するパネルが、トリム部品等によって少なくとも１つの他のパネルに固着され、物品、または衣類さえも形成することができる。例えば、本明細書においてより詳細に説明する図５−図１０に示すように、着用者の予想される動きに基づいて、２つの別々のパネルが相互に固着されてもよい。例えば、人の下腕は、その人が走っている場合または他の動きをしている場合等にはその人の上腕とは異なる動きをする。よって、第１のパネルは人の下腕に使用されることができ、第２のパネルは人の上腕に使用されることができ、ここで一体成形フラップは第２のパネルにおいて、第１のパネルとは異なる位置に配置される。
【００３２】
さらに別の態様では、１つ以上のパネルは、相互に、および／または一体成形フラップを有さない他のパネルに固着されてもよい。一体成形フラップを有さないパネルは、平坦な位置に置かれた場合に実質的に平面であってもよい。シャツを例にとると、シャツの前面部および／または側面部は、着用者が動いている場合に抵抗を増加させる一体成形フラップを含むパネルを有することができるが、一体成形フラップを有しないパネルをシャツの背部に有することができ、むしろ実質的に滑らかな表面を有することができる。例えば、着用可能な衣類は、一体成形パネルを有しない他のパネルに固着し得る一体成形パネルを含む１つ以上のパネルを含むことができ、胴体上部用衣料物品、胴体下部用衣料物品、またはこれらの組み合わせ等を形成することができる。
【００３３】
図５および図６を参照すると、いくつかの態様では、衣類は胴体上部用衣料物品４０を含むことができる。胴体上部用衣料物品４０は、衣類が着用位置にある場合に着用者の胴体上部の一部を覆うように適合したシャツ、ベスト、またはその他の衣類を含むことができる。胴体上部用衣料物品４０は、抵抗誘導物品４２を含むことができる。胴体上部用衣料物品４０は、１つ以上の追加のパネル４６（図示せず）をさらに含むことができる。上述したように、これらの追加のパネル４６（図示せず）は一体成形フラップを含んで抵抗を増加させることができ、または一体成形フラップを含まなくてもよい。
【００３４】
抵抗誘導物品４２は、相互に異なる方向に向けられ、着用者の複数の動きに基づいて抗力を誘導することができる。例えば、抵抗誘導物品４２のいくつかは、胴体上部用衣料物品４０が第１の方向Ｂに動かされた場合に増大した抵抗をもたらすように方向づけられてもよい。着用者が動くことで、結果的に、胴体上部用衣料物品４０は着用位置にある場合に、かがみこむ位置からから起立した位置へと動く場合（例えば、スプリンターがスプリントを開始する場合）、または起立した位置から跳躍する位置へと動く場合（例えば、バスケットボール選手が空中に飛び跳ねる場合）に、第１の方向Ｂへ動かされる。同様に、抵抗誘導物品４２のいくつかは、胴体上部用衣料物品４０が第２の方向Ｃへ動かされる場合に増大した抵抗をもたらすよう方向づけられてもよい。着用者が動く事で、結果的に、胴体上部用衣料物品４０は着用位置にある場合に、地上移動をする場合に（例えば、着用者が走っている場合）、第２の方向Ｃに動かされる。
【００３５】
図７および図８を参照すると、いくつかの態様では衣類はスリーブ４４を含むことができる。スリーブ４４は、衣類が着用位置にある場合に着用者の腕または他の肢体の一部を覆うことができる。スリーブ４４は、抵抗誘導物品４２を含むことができる。スリーブ４４は、１つ以上の追加のパネル４６をさらに含むことができる。
【００３６】
抵抗誘導物品４２は、相互に異なる方向に方向づけられ、着用者の複数の動きに基づいて抗力を誘導することができる。例えば、抵抗誘導物品４２のいくつかは、肩関節を中心とする腕全体の回転に基づいてスリーブ４０が動かされた場合（例えば、野球、ゴルフ、またはテニススイングにおけるダウンスイング中に）に増大した抵抗をもたらすよう方向づけられてもよい。同様に、他の抵抗誘導物品４２は、肘関節を中心とする下腕のヒンジングに基づいてスリーブ４０が動かされた場合（例えば、ゴルフまたはテニススイングにおけるフォロースルー中に）に増大した抵抗をもたらすよう方向づけられてもよい。
【００３７】
図９および図１０を参照すると、いくつかの態様では、衣類は胴体下部用衣料物品４８を含むことができる。胴体下部用衣料物品４８は、衣類が着用位置にある場合に着用者の胴体下部の一部を覆うように適合したズボン、半ズボン、またはその他の衣類を含むことができる。胴体下部用衣料物品４８は、抵抗誘導物品４２を含むことができる。胴体下部用衣料物品４８は、１つ以上の追加のパネル４６をさらに含むことができる。
【００３８】
抵抗誘導物品４２は、相互に異なる方向に方向づけられ、着用者の複数の動きに基づいて抗力を誘導することができる。例えば、抵抗誘導物品４２のいくつかは、胴体下部用衣料物品４８が第１の方向Ｂに動かされた場合に増大した抵抗をもたらすように方向づけられてもよい。着用者が動くことで、結果的に、胴体下部用衣料物品４８は着用位置にあるときに、かがみこむ姿勢からから起立した姿勢へと動く場合（例えば、スプリンターがスプリントを開始する場合）、または起立した姿勢から跳躍する姿勢へと動く場合（例えば、バスケットボール選手が空中に飛び跳ねる場合）に、第１の方向Ｂに動かされる。同様に、抵抗誘導物品４２のいくつかは、胴体下部用衣料物品４８が第２の方向Ｃに動かされる場合に増大した抵抗をもたらすよう方向づけられてもよい。着用者が動く事で、結果的に、胴体下部用衣料物品４８は着用位置にある場合に、地上移動をする場合に（例えば、着用者が走っている場合）、第２の方向Ｃに動かされる。
【００３９】
図１１を参照し、物品が流体中を動かされる場合に流体抵抗をもたらす物品を製造する方法１００を示す。方法１００は、ブロック１０５に示すように、少なくとも第１のパネル端と、外面と、パネルの外面から延在する複数の一体成形フラップとを有するパネルを設けることを含む。いくつかの態様では、複数の一体的成形フラップは、第１のパネル端に近接して配置された第１の端部をさらに含む。ブロック１１０に示すように、方法１００は、第１のトリム部品を設けるステップを含む。さらに、方法１００は、ブロック１１５に示すように、複数の一体成形フラップのうち、少なくとも１つの一体成形フラップの第１の端部を、第１のパネル端に近接して、パネルの外面とトリム部品との間に固定するステップを含む。
【００４０】
方法１００は、第２のトリム部品を設けるステップをさらに含むことができる。加えて、方法１００は、パネルの外面と第２のパネル端に近接して、第２のトリム部品との間に、複数の一体成形フラップのうち、少なくとも１つの一体成形フラップの第２の端部を固定するステップをさらに含むことができる。
【００４１】
上記の記載から、記載された態様は、本明細書の冒頭において自明かつ構造に固有な他の利点とともに明記した全ての目的および目標を達成するために好適なものであることが分かるであろう。特定の特徴および部分的組み合わせ（サブコンビネーション）は、有用であり、かつ、他の特徴および部分的組み合わせを参照することなく使用可能であることが理解されよう。これは、特許請求の範囲によって企図されるものであり、特許請求の範囲内である。本発明の範囲から逸脱することなく、本発明に基づく幾多の考えられうる記載された態様をなすことができるため、本明細書に明記事項または添付の図面において示した事項は、全て、例示的かつ非限定的なものとして解釈されるべきであることを理解すべきである。
【図１】
2019502836.tif 000003
【図２】
2019502836.tif 000004
【図３】
2019502836.tif 000005
【図４】
2019502836.tif 000006
【図５】
2019502836.tif 000007
【図６】
2019502836.tif 000008
【図７】
2019502836.tif 000009
【図８】
2019502836.tif 000010
【図９】
2019502836.tif 000011
【図１０】
2019502836.tif 000012
【図１１】
2019502836.tif 000013
【国際調査報告】
2019502836.tif 000014
2019502836.tif 000015
2019502836.tif 000016